(57)【要約】【課題】照明器具を利用して簡便に効果的な室内の換気を行うことができる照明器具に付帯する換気具を提供する。【解決手段】照明器具１０の笠１２の上面部に設けられた放熱用開口１３が内側に位置するように取り付けられる笠側取付枠部２０と、照明器具１０の電気コード１５の上端部であって天井面に取り付けられるコード取付部１６に干渉しないように遊嵌できると共に、天井面５０に穿設された天井面通気口５１に連通するように開口して設けられた天井側開口３１を備え、天井面側に取り付けることができる天井側取付板部３０と、電気コード１５を内包するように、笠側取付枠部２０と天井側取付板部３０との間に渡って配され、放熱用開口１３から天井面通気口５１に渡る筒状の換気用通気路４１を形成する換気用筒部４０とを備える。【選択図】図１
0003228879.tif 000002
【実用新案登録請求の範囲】
【請求項１】
電気コードによって天井から吊り下げた状態に設置される笠を備える照明器具であって該笠の上面部に発光器が発する熱を逃がすための放熱用開口が設けられた照明器具を介し、室内の換気を行うように設けられる照明器具に付帯する換気具において、
前記照明器具の前記笠の上面部に設けられた前記放熱用開口が内側に位置するように取り付けられる笠側取付枠部と、
前記照明器具の前記電気コードの上端部であって天井面に取り付けられるコード取付部に干渉しないように遊嵌できると共に、天井面に穿設された天井面通気口に連通するように開口して設けられた天井側開口を備え、天井面側に取り付けることができる天井側取付板部と、
前記電気コードを内包するように、前記笠側取付枠部と前記天井側取付板部との間に渡って配され、前記放熱用開口から前記天井面通気口に渡る筒状の換気用通気路を形成する換気用筒部とを備えることを特徴とする照明器具に付帯する換気具。
【請求項２】
前記換気用筒部が、布材や樹脂フィルム材のシート状部材によって設けられていることを特徴とする請求項１記載の照明器具に付帯する換気具。
【請求項３】
前記シート状部材が透明であることを特徴とする請求項２記載の照明器具に付帯する換気具着脱用のループ弾性部材。
【考案の詳細な説明】
【技術分野】
【０００１】
この考案は、電気コードによって天井から吊り下げた状態に設置される笠を備える照明器具であって該笠の上面部に発光器が発する熱を逃がすための放熱用開口が設けられた照明器具を介し、室内の換気を行うように設けられる照明器具に付帯する換気具に関する。
【背景技術】
【０００２】
従来の換気機能を伴う照明器具としては、例えば、シャワールーム、浴室等の多湿室の天井面の一部に窪み部を設け、この窪み部に防湿構造の照明器具を該窪み部の周壁との間に間隙を残して配置すると共に、換気ダクトに接続する換気口を前記窪み部側壁の一部に開穿してなる換気構造が（特許文献１参照）が提案されている。
【０００３】
従来の空気循環機能を伴う照明器具としては、天井から吊下げた状態で該天井に対して間隔をあけて設置される、または、天井に直接設置される空気清浄機能付き照明装置であって、回転駆動により送風可能なファンと、吸気口と排気口との間に通風路を形成した略筒形状のケース部と、前記ケース部において、ファンの吸気側または排気側に設けられ、前記ファンの送風により空気清浄を行うフィルタと、ケース部の周囲に設けられた照明部と、ケース部および照明部を収容するとともに、上部に排気口を備えるシェードと、排気口からの排気方向を略水平方向とし、且つ、シェード外周表面に沿って排気させない排気方向調整部と、を有する空気清浄機能付き照明装置（特許文献２参照）が提案されている。
【先行技術文献】
【特許文献】
【０００４】
【特許文献１】実開昭５７−６８４２６号公報（実用新案登録請求の範囲、図面）
【特許文献２】特開２０１３−１９４９６５号公報（第１頁）
【考案の概要】
【考案が解決しようとする課題】
【０００５】
照明器具に付帯する換気具に関して解決しようとする問題点は、照明器具に後付けが可能で、より簡易に配設し易い形態のものが提案されていない点にある。
【０００６】
そこで本考案の目的は、照明器具を利用して簡便に効果的な室内の換気を行うことができるように、照明器具に後付けが可能で、より簡易に配設し易い照明器具に付帯する換気具を提供することにある。
【課題を解決するための手段】
【０００７】
本考案は、上記目的を達成するために次の構成を備える。
本考案に係る照明器具に付帯する換気具の一形態によれば、電気コードによって天井から吊り下げた状態に設置される笠を備える照明器具であって該笠の上面部に発光器が発する熱を逃がすための放熱用開口が設けられた照明器具を介し、室内の換気を行うように設けられる照明器具に付帯する換気具において、前記照明器具の前記笠の上面部に設けられた前記放熱用開口が内側に位置するように取り付けられる笠側取付枠部と、前記照明器具の前記電気コードの上端部であって天井面に取り付けられるコード取付部に干渉しないように遊嵌できると共に、天井面に穿設された天井面通気口に連通するように開口して設けられた天井側開口を備え、天井面側に取り付けることができる天井側取付板部と、前記電気コードを内包するように、前記笠側取付枠部と前記天井側取付板部との間に渡って配され、前記放熱用開口から前記天井面通気口に渡る筒状の換気用通気路を形成する換気用筒部とを備えることを特徴とする照明器具に付帯する換気具。
【０００８】
本考案に係る照明器具に付帯する換気具の一形態によれば、前記換気用筒部が、布材や樹脂フィルム材のシート状部材によって設けられていることを特徴とすることができる。
【０００９】
本考案に係る照明器具に付帯する換気具の一形態によれば、前記シート状部材が透明であることを特徴とすることができる。
【考案の効果】
【００１０】
本考案に係る照明器具に付帯する換気具によれば、照明器具を利用して簡便に効果的な室内の換気を行うことができるように、照明器具に後付けが可能で、より簡易に配設し易いという特別有利な効果を奏する。
【図面の簡単な説明】
【００１１】
【図１】本考案に係る照明器具に付帯する換気具の形態例を示す断面図である。
【図２】本考案に係る照明器具に付帯する換気具の形態例を示す斜視図である。
【図３】図１の形態例のＡ−Ａ線断面図である。
【図４】図３の天井側取付板部の取付角度を変更した状態を示す断面図である。
【図５】本考案に係る照明器具に付帯する換気具の他の形態例を示す斜視図である。
【考案を実施するための形態】
【００１２】
以下、本考案に係る照明器具に付帯する換気具の形態例を、添付図面（図１〜５）に基づいて詳細に説明する。
【００１３】
本考案に係る照明器具に付帯する換気具は、電気コード１５によって天井から吊り下げた状態に設置される笠１２を備える照明器具１０であって、その笠１２の上面部（図１に示した本形態例では上面中央部）に発光器１１が発する熱を逃がすための放熱用開口１３が設けられた照明器具１０を介し、室内の換気を行うように設けられるものである。発光器１１は、光と共に熱を発生するもので、電灯として用いられるＬＥＤ、白熱電球や蛍光灯のことである。
【００１４】
２０は笠側取付枠部であり、照明器具１０の笠１２の上面部に設けられた放熱用開口１３が内側に位置するように取り付けられる。その取り付け形態は、既知の固着手段を適宜選択的に利用すればよく、接着やネジ止め等で行うことができる。また、緩やかな換気を目的とするもので、高い気密度を要求されることはなく、気密シールのためのパッキンを用いることを要しない。また、この笠側取付枠部２０の形状は、図１の形態例のような円帯形のフランジ状（円環状）に限定されるものではなく、放熱用開口１３を囲うことができる通気孔を形作る枠形状であれば、図５のような矩形状など、特に限定されるものではない。
【００１５】
３０は天井側取付板部であり、照明器具１０の電気コード１５の上端部であって天井面５０に取り付けられるコード取付部１６に干渉しないように遊嵌できると共に、天井面５０に穿設された天井面通気口５１に連通するように開口して設けられた天井側開口３１を備え、天井面側に取り付けることができるように設けられている。なお、その取り付け形態は、既知の固着手段を適宜選択的に利用すればよく、本形態例では各角部に取付用孔が設けられて木ネジを利用して天井板に直接的に固定するものであるが、接着やボルトナット等で固定することもでき、取付部材を介在させて着脱・調整可能に固定できるのは勿論である。
【００１６】
４０は換気用筒部であり、電気コード１５を内包するように、笠側取付枠部２０と天井側取付板部３０との間に渡って配され、放熱用開口１３から天井面通気口５１に渡る筒状の換気用通気路４１を形成するように設けられている。すなわち、この換気用筒部４０は、電気コード１５に沿って配されるため、縦長の管状に形態になっている。
【００１７】
これによれば、室内の空気を、天井裏通気スペース５２を利用して適切に排気することができる。また、天井面通気口５１に、天井裏通気スペース５２内に配管されたダクトを接続して排気することも可能である。これは、飲食店のような多数の照明器具１０が置かれている室内について有効であり、換気を分散的で均一的に効率良くスムースに行うことができる。この際、提供される暖められた飲食物、人間の発する熱、体温によって暖められて肺から排出される呼気や発光器が発する熱は、いずれも上昇気流を生じるもので、上述した排気ルートを通って排気され易く、感染症で問題となるマイクロ飛沫を効率よく排出・除去できる。
【００１８】
すなわち、本考案に係る照明器具に付帯する換気具によれば、照明器具１０を利用した形態によって、簡便に効果的な室内の換気を行うことができ、照明器具１０に後付けが可能で、より簡易に配設し易いという特別有利な効果を奏する。
【００１９】
また、本形態例では、天井側取付板部３０に設けられた天井側開口３１の形状は、一つの長孔状に設けられており、コード取付部１６に対して遊びがある状態で外嵌めされている。これによれば、図４に示すように、図３の状態からコード取付部１６を中心とした取付角度を変えることで、天井面通気口５１の開口度を適宜に調整することができる。なお、図４に示す状態では、図３の状態に比べて、天井面通気口５１の開口度が約半分になっている。これによれば、空気の排出量を適宜に調整することができ、その汎用性を高めることができる。
【００２０】
また、本形態例の天井側開口３１は、一つの長孔によって構成されているが、本発明はこれに限定されるものではなく、複数に分割された形態であっても良いのは勿論である。例えば、コード取付部１６に外嵌される開口と、天井面通気口５１に連通する開口とが別々に設けられていても良く、その天井面通気口５１に連通する開口が複数の貫通孔によって構成されていて良い。
【００２１】
また、図１〜４の形態例では、換気用筒部４０の径方向外側に、笠側取付枠部２０と天井側取付板部３０の取付部が張り出たように形成された外フランジ形状の筒状換気具になっているが、本発明はこれに限定されるものではなく、図５に示すように、内フランジ形状の取付部に形成されていても良い。取付部（フランジ状の部分）が内側にあることで、外観をスッキリさせて見栄えを向上できる効果がある。
【００２２】
また、本形態例では、換気用筒部４０が、布材（不織布を含む）や樹脂フィルム材のシート状部材によって設けられている。本形態例は、緩やかに換気を行うことを目的としているもので、換気用通気路４１内の圧力（静圧及び動圧）の変化は小さいものであるため、布材（不織布を含む）のような柔らかい材料によっても構成することができる。そして、シート状部材に例えばプリンターを使って絵柄などを施せば、幟旗のように室内の装飾ができ、商業施設や飲食店舗で使用すれば、店内の雰囲気を目的に応じて創造することができる。なお、換気量を高めるため、換気用筒部４０の内部を吸引するように負圧を高めるように用いる場合は、木材など、その負圧に耐え得る剛性を備える材質を用いれば良いのは勿論である。
【００２３】
また、本形態例では、換気用筒部４０を構成するシート状部材が透明である。更に詳細には、透明ビニールを筒型に成形して縦長に配した形態となっている。これによれば、換気用筒部４０の内部に、造花のような装飾物を入れ、見栄えを向上させることができる。また、この透明の換気用筒部４０について、例えば、ポスターを内側から貼るように配して装飾することができ、見栄えを向上させることができる。
【００２４】
また、図１に示すように、空気清浄フィルタ６０や送風機７０を、天井裏通気スペース５２に連通又は接続するように配置することができる。この送風機７０によれば、室内空気を、強制的に換気させることができ、換気量を高めることができる。また、空気清浄フィルタ６０によれば、汚染された空気を清浄化して排気又は循環させることができる。例えば、高清浄効率フィルタ（ＨＥＰＡフィルタ）を用いれば、放射能やウィルスによる汚染を除去でき、熱量を損失しないように、空気を清浄化して循環させることができる。
【００２５】
以上、本考案につき好適な形態例を挙げて種々説明してきたが、本考案はこの形態例に限定されるものではなく、考案の精神を逸脱しない範囲内で多くの改変を施し得るのは勿論のことである。
【符号の説明】
【００２６】
１０  照明器具
１１  発光器
１２  笠
１３  放熱用開口
１５  電気コード
１６  コード取付部
２０  笠側取付枠部
３０  天井側取付板部
３１  天井側開口
４０  換気用筒部
４１  換気用通気路
５０  天井面
５１  天井面通気口
５２  天井裏通気スペース
６０  空気清浄フィルタ
７０  送風機
【図１】
0003228879.tif 000003
【図２】
0003228879.tif 000004
【図３】
0003228879.tif 000005
【図４】
0003228879.tif 000006
【図５】
0003228879.tif 000007
【手続補正書】
【提出日】令和2年9月29日(2020.9.29)
【手続補正１】
【補正対象書類名】実用新案登録請求の範囲
【補正対象項目名】全文
【補正方法】変更
【補正の内容】
【実用新案登録請求の範囲】
【請求項１】
電気コードによって天井から吊り下げた状態に設置される笠を備える照明器具であって該笠の上面部に発光器が発する熱を逃がすための放熱用開口が設けられた照明器具を介し、室内の換気を行うように設けられる照明器具に付帯する換気具において、
前記照明器具の前記笠の上面部に設けられた前記放熱用開口が内側に位置するように取り付けられる笠側取付枠部と、
前記照明器具の前記電気コードの上端部であって天井面に取り付けられるコード取付部に干渉しないように遊嵌できると共に、天井面に穿設された天井面通気口に連通するように開口して設けられた天井側開口を備え、天井面側に取り付けることができる天井側取付板部と、
前記電気コードを内包するように、前記笠側取付枠部と前記天井側取付板部との間に渡って配され、前記放熱用開口から前記天井面通気口に渡る筒状の換気用通気路を形成する換気用筒部とを備えることを特徴とする照明器具に付帯する換気具。
【請求項２】
前記換気用筒部が、布材や樹脂フィルム材のシート状部材によって設けられていることを特徴とする請求項１記載の照明器具に付帯する換気具。
【請求項３】
前記シート状部材が透明であることを特徴とする請求項２記載の照明器具に付帯する換気具。
【手続補正２】
【補正対象書類名】明細書
【補正対象項目名】０００７
【補正方法】変更
【補正の内容】
【０００７】
本考案は、上記目的を達成するために次の構成を備える。
本考案に係る照明器具に付帯する換気具の一形態によれば、電気コードによって天井から吊り下げた状態に設置される笠を備える照明器具であって該笠の上面部に発光器が発する熱を逃がすための放熱用開口が設けられた照明器具を介し、室内の換気を行うように設けられる照明器具に付帯する換気具において、前記照明器具の前記笠の上面部に設けられた前記放熱用開口が内側に位置するように取り付けられる笠側取付枠部と、前記照明器具の前記電気コードの上端部であって天井面に取り付けられるコード取付部に干渉しないように遊嵌できると共に、天井面に穿設された天井面通気口に連通するように開口して設けられた天井側開口を備え、天井面側に取り付けることができる天井側取付板部と、前記電気コードを内包するように、前記笠側取付枠部と前記天井側取付板部との間に渡って配され、前記放熱用開口から前記天井面通気口に渡る筒状の換気用通気路を形成する換気用筒部とを備える。
【手続補正３】
【補正対象書類名】明細書
【補正対象項目名】００２０
【補正方法】変更
【補正の内容】
【００２０】
また、本形態例の天井側開口３１は、一つの長孔によって構成されているが、本発明はこれに限定されるものではなく、複数に分割された形態であっても良いのは勿論である。例えば、コード取付部１６に外嵌される開口と、天井面通気口５１に連通する開口とが別々に設けられていても良く、その天井面通気口５１に連通する開口が複数の貫通孔によって構成されていても良い。